(57)【要約】 【課題】  蓋付き容器において、蓋体を容器本体に簡単に着脱自在に固定できるようにする。【解決手段】  長尺状容器本体１は、非磁性体性の材料から形成され、この長手方向に延びる細長い収納凹部３を有する。マグネット部１５は、容器本体１において、収納凹部３の周縁に固定されている。蓋体７は、収納凹部３を覆って被せられる。蓋体７は、収納凹部３に被せられたとき、そのマグネット部１５に吸着する強磁性体性の吸着部１９を有する。【選択図】  図１
2010116186.tif 000002
【特許請求の範囲】
【請求項１】
非磁性体性の長尺状容器本体であって、この長手方向に延びる細長い収納凹部と、前記収納凹部の周縁に固定された１個以上のマグネット部とを有する容器本体と、
前記収納凹部を覆ったときに少なくとも前記マグネット部に吸着する強磁性体の吸着部を有し、着脱可能に前記収納凹部を覆う細長い蓋体と、
を具備することを特徴とする蓋付き容器。
【請求項２】
前記吸着部は、前記マグネット部とほぼ同形状の当接面形状を有する請求項１記載の蓋付き容器。
【請求項３】
前記マグネット部は、前記容器本体において、少なくとも前記収納凹部の前記長手方向の両端部に固定された請求項１又は２記載の蓋付き容器。
【請求項４】
前記容器本体は、前記収納凹部を覆って前記蓋体の嵌る段部を前記長手方向の両側に沿って有する請求項１〜３いずれか１記載の蓋付き容器。
【請求項５】
前記段部は、当該長手方向の両側内面が外側に拡開するテーパ面を有し、前記蓋体は、当該長手方向の対向する側面が前記収納凹部側に当接するテーパ面を有する請求項４記載の蓋付き容器。
【発明の詳細な説明】
【技術分野】
【０００１】
本発明は蓋付き容器に係り、例えばはし等の比較的長尺状の日用品を収納する蓋付き容器の改良に関する。
【背景技術】
【０００２】
この種の蓋付き容器、例えばはし箱は、図示はしないが、角柱状の容器本体を横置きした状態で、上側にその長手方向に延びる収納凹部を形成し、容器本体における一方の長手方向端部から対向する凹溝を他方の端部近傍まで収納凹部に形成し、凹溝に嵌る凸部を両側に突出させた蓋体を、その一方の端部から凸部を凹溝に嵌めるようにスライドさせて収納凹部を覆う構成が良く知られている。
【０００３】
ところで、この種の一般的な技術としては、例えば特開平７−１１１９３５号公報（特許文献１）がある。
【特許文献１】特開平７−１１１９３５号公報
【発明の開示】
【発明が解決しようとする課題】
【０００４】
しかしながら、上述した蓋付き容器では、一方の端部から蓋体を容器本体の凹溝に嵌めて収納凹部を覆うようにして使用されるから、蓋体を嵌めるについて方向性があり、方向を間違うと容器本体を持ち替える必要が生じるし、蓋体を取るには、蓋体を完全に凹溝から引き抜かなければならず、使い勝手を向上させるには、更なる工夫が必要である。
【０００５】
本発明はそのような課題を解決するためになされたもので、容器本体に対する蓋体の装着と取り除き操作が簡単で、構成も簡単な蓋付き容器の提供を目的とする。
【課題を解決するための手段】
【０００６】
そのような課題を解決するために本発明の請求項１に係る蓋付き容器は、非磁性体性の長尺状容器本体であって、この長手方向に延びる細長い収納凹部と、その収納凹部の周縁に固定された１個以上のマグネット部とを有する容器本体と、その収納凹部を覆ったときに少なくともそのマグネット部に吸着する強磁性体の吸着部を有し、着脱可能にその収納凹部を覆う細長い蓋体と、を具備している。
【０００７】
本発明の請求項２に係る蓋付き容器は、上記吸着部が、そのマグネット部とほぼ同形状の当接面形状を有している。
【０００８】
本発明の請求項３に係る蓋付き容器は、上記マグネット部が、その容器本体において、少なくとも収納凹部の長手方向の両端部に固定された構成を有している。
【０００９】
本発明の請求項４に係る蓋付き容器は、上記容器本体が、その収納凹部を覆って蓋体の嵌る段部を長手方向の両側に沿って有している。
【００１０】
本発明の請求項５に係る蓋付き容器は、上記段部が、当該長手方向の両側内面が外側に拡開するテーパ面を有し、上記蓋体は、当該長手方向の対向する側面が収納凹部側に当接するテーパ面を有している。
【発明の効果】
【００１１】
このような本発明の請求項１に係る蓋付き容器では、容器本体に設けた細長い収納凹部の周縁に１個以上のマグネット部を有し、その収納凹部を着脱可能に覆う蓋体には、マグネット部に吸着する強磁性体の吸着部を有するから、収納凹部の上からこれを覆うように蓋体を被せれば、容器本体のマグネット部と蓋体の吸着部が吸着され、容器本体に蓋体が所定位置に固定されるし、蓋体をずらせれば容器本体から蓋体を外し易く、容器本体に対する蓋体の装着と取り除きが簡単となるし、構成も簡単である。
【００１２】
本発明の請求項２に係る蓋付き容器では、上記吸着部が、そのマグネット部とほぼ同形状の当接面形状を有しているから、容器本体に対する蓋体の取り除きが簡単となる。
【００１３】
本発明の請求項３に係る蓋付き容器では、上記マグネット部が、その容器本体において、少なくとも収納凹部の長手方向の両端部に固定された構成を有するから、容器本体に対する蓋体の固定が確実となるし、蓋体の取り除きも簡単である。
【００１４】
本発明の請求項４に係る蓋付き容器では、上記容器本体が、その収納凹部を覆って蓋体の嵌る段部を長手方向の両側に沿って有しているから、容器本体に対する蓋体の固定が確実となるし、蓋体の取り除きも簡単である。
【００１５】
本発明の請求項５に係る蓋付き容器では、上記段部が、当該長手方向の両側内面が外側に拡開するテーパ面を有し、上記蓋体が、当該長手方向の対向する側面が収納凹部側に当接するテーパ面を有しているから、容器本体に対する蓋体の固定が簡単になる。
【発明を実施するための最良の形態】
【００１６】
以下、本発明の実施の形態を図面を参照して説明する。
【００１７】
図１は本発明に係る蓋付き容器の実施の一形態を示す分解斜視図である。
【００１８】
図１において、容器本体１は、非磁性体性材料、例えば木材から横断面四角形状にして細長い長尺状に切削加工されてなる。
【００１９】
容器本体１を横置きした状態で、容器本体１は、この長手方向に延びる細長い収納凹部３が上面から形成されるとともに、段部５が長手方向の両側に沿って形成され、収納凹部３を覆って蓋体７の嵌る嵌合部９が形成されている。
【００２０】
収納凹部３には、例えば食事に使用する「はし」や、祭事に使用する「線香」その他長尺状の品々（何れも図示せず。）が収納される。
【００２１】
嵌合部９を形成する長手方向に沿った対向面は、当該長手方向の両側内面が外側（上方向）に拡開するテーパ面１１となっている。
【００２２】
容器本体１において、収納凹部３の長手方向の両端部１３には、図３に示すように、短い円柱状のマグネット部１５が当該端面を両端部１３に露出するように埋設固定されている。なお、マグネット部１５の当該端面は、両端部１３の面から突出しないようになっている。
【００２３】
蓋体７は、非磁性体性材料、例えば容器本体１と同様の木材から容器本体１の長手方向と同寸法にして、収納凹部３を覆って嵌合部９に嵌る長方形板状に切削加工されてなり、長手方向に沿う両端面が嵌合部９のテーパ面１１に当接する先細りのテーパ面１７になっている。なお、蓋体７は、嵌合部９に収納されたとき、容器本体１の外周面と揃うようになっている。
【００２４】
蓋体７は、その長手方向の両端部におけるマグネット部１５と揃う位置に、当該マグネット部１５に吸着される強磁性体からなるチップ状の吸着部１９が埋設固定されており、吸着部１９がマグネット部１５に吸着されたとき、当該蓋体７が容器本体１の外周面に揃うようにして、嵌合部９に収納されるようになっている。
【００２５】
吸着部１９は、図３に示すように、平面的にはマグネット部１５の端面と同形状になっており、蓋体７の裏面から突出しないように配置されている。
【００２６】
次に、本発明に係る蓋付き容器の使用例を簡単に説明する。
【００２７】
収納凹部３を上に向けて容器本体１を横置きした状態で、当該収納凹部３に例えば食事用の「はし」を収納し、上側から蓋体７を嵌合部９に揃えて置くと、蓋体７が嵌合部９に嵌り、蓋体７の長手方向の両端部を容器本体１のそれに揃えるように長手方向へ多少スライドさせれば、吸着部１９がマグネット部１５に吸着され、蓋体７が容器本体１に仮固定される。
【００２８】
すなわち、容器本体１のマグネット部１５および蓋体７の吸着部１９が蓋体７の容器本体１に対する位置決め部材として機能する。
【００２９】
そして、蓋体７は、吸着部１９がマグネット部１５に吸着されて容器本体１に仮固定されているから、例えば図４に示すように、所用者の指先２１等によって蓋体７を容器本体１の長手方向へスライドさせると、吸着部１９とマグネット部１５との吸着状態が外れ、蓋体７を容器本体１から簡単に外せる。
【００３０】
このように、本発明の蓋付き容器は、非磁性体性の長尺状容器本体１であって、この長手方向に延びる細長い収納凹部３と、その収納凹部３の周縁に埋設された１対のマグネット部１５とを有する容器本体１と、その収納凹部３を覆ったときにそのマグネット部１５に吸着する強磁性体性の吸着部１９を有し、その収納凹部３に着脱可能に覆う細長い蓋体７とを具備している。
【００３１】
そのため、収納凹部３の上からこれを覆うように蓋体７を被せ、蓋体７を多少スライドさせれば、容器本体１のマグネット部１５と蓋体７の吸着部１９が吸着され、容器本体１に蓋体７が所定位置に簡単に固定されるし、蓋体７を多少スライドさせれば容器本体１から蓋体７が外れ易く、容器本体１に対する蓋体７の装着と取り除きが簡単となるし、構成も簡単である。
【００３２】
しかも、吸着部１９がマグネット部１５とほぼ同形状の当接面形状を有しているから、吸着部１９がマグネット部１５に吸着され易いうえ、蓋体７を多少スライドさせれば吸着部１９とマグネット部１５との吸着状態を解除させ易い。
【００３３】
さらに、マグネット部１５および吸着部１９が、容器本体１および蓋体７に埋設されているから、蓋体７を容器本体１上でスライドさせ易く、容器本体１に蓋体７が簡単に固定される。
【００３４】
もっとも、本発明において、マグネット部１５および吸着部１９は、容器本体１にあって少なくとも収納凹部３の端部に１個以上配置されていれば、本発明の目的達成が可能であり、収納凹部３の長手方向の端部以外にその途中に配置させる構成も可能である。蓋体７の吸着部１９はそれに合わせて配置すれば良い。
【００３５】
また、容器本体１が、収納凹部３を覆って蓋体７の嵌る段部５を長手方向の両側に沿って有し、その段部５が外側（上方向）に拡開するテーパ面１３を有するとともに、蓋体７が、当該長手方向の対向する側面に収納凹部側に当接するテーパ面１７を有するから、蓋体７を容器本体１に嵌め易く、スライドさせ易い。
【００３６】
しかも、本発明において、マグネット部１５に吸着される吸着部１９は、強磁性体材料で形成したが、マグネット部１５と同様にこれに吸着される極性に着磁されたマグネットで形成しても良いし、蓋体７自体を強磁性体で形成しても良い。
【００３７】
そして、本発明に係る蓋付き容器は、段部５や嵌合凹部９を有する構成に限定されず、例えば図５に示すように、単に、収納凹部３を蓋体７で覆う構成も可能であるし、横断面が楕円状その他の任意の形状であっても良い。
【図面の簡単な説明】
【００３８】
【図１】本発明に係る蓋付き容器の実施の形態を示す分解斜視図である。
【図２】本発明に係る蓋付き容器を示す断面図（Ａ：ａ−ａ間断面、Ｂ：ｂ−ｂ間断面）である。
【図３】本発明に係る蓋付き容器のマグネット部および吸着部を示す斜視図である。
【図４】本発明に係る蓋付き容器の使用例を示す断面図（図２Ｂ中のａ−ａ間断面）である。
【図５】本発明に係る蓋付き容器の他の実施の形態を示す分解斜視図である。
【符号の説明】
【００３９】
１  容器本体
３  収納凹部
５  段部
７  蓋体
９  嵌合部
１１、１７  テーパ面
１３  端部
１５  マグネット部
１９  吸着部
２１  指先
【図１】
2010116186.tif 000003
【図２】
2010116186.tif 000004
【図３】
2010116186.tif 000005
【図４】
2010116186.tif 000006
【図５】
2010116186.tif 000007